(57)【要約】【課題】    本発明は、印字媒体である用紙に所定の情報を印字し、印字後の用紙を完全に切り離すフルカットおよび用紙の一部を切残すパーシャルカットが可能なプリンタの切断装置を提供することを課題とする。【解決手段】  用紙を切断する切断装置であって、固定刃１６と、固定刃１６に対して接離方向に移動可能なＶ形状の可動刃と、可動刃の中央部分が固定刃に当接しないパーシャルカット位置と可動刃の中央部分を含む全体が固定刃に当接するフルカット位置に固定刃１６を移動可能とする固定刃ホルダ２３を有することを特徴とする。【選択図】  図４
2008207303.tif 000002
【特許請求の範囲】
【請求項１】
用紙を切断する切断装置であって、
固定刃と、
固定刃に対して接離方向に移動可能なＶ形状の可動刃と、
前記可動刃の中央部分が固定刃に当接しないパーシャルカット位置と可動刃の中央部分を含む全体が固定刃に当接するフルカット位置に固定刃を移動可能とする固定刃ホルダを有することを特徴とする切断装置。
【請求項２】
固定刃ホルダは、
固定刃を保持し、突起が設けられた摺動部材と、
前記突起を挿入する傾斜孔が設けられたスライド片と、
摺動部材を可動刃に対して接離方向に摺動可能に保持し、かつ前記スライド片を保持するホルダ本体を有することを特徴とする請求項１記載の切断装置。
【発明の詳細な説明】
【技術分野】
【０００１】
本発明は、印字媒体である用紙に所定の情報をプリンタで印字し、印字後の用紙を完全に切り離すフルカットおよび用紙の一部を切残すパーシャルカットが可能な切断装置に関する。
【背景技術】
【０００２】
用紙に印字する装置として長尺状の印字媒体に印字するサーマルヘッドと、印字媒体をサーマルヘッドに向けて搬送するプラテンローラを備えたプリンタが知られている。このようなプリンタにおいて、印字済みの印字媒体を切断するカッターが設けられ、カッターによって長尺状の状態から単葉状態の一単位毎に印字媒体を切り離すフルカットや、印字媒体の一部を切残すパーシャルカット動作が可能なプリンタが知られている。
例えば、特許文献１には固定刃に対して前進運動する可動刃の前進運動の終端位置を変えることでパーシャルカットとフルカットを可能としたプリンタが開示されている。
【０００３】
【特許文献１】特開２０００−５２２９２号公報
【発明の開示】
【発明が解決しようとする課題】
【０００４】
特許文献におけるプリンタのカッターでは、パーシャルカットとフルカットとで可動刃が違う動作を行うよう制御させる必要があり、制御が複雑化するという問題があった。
本発明のこのような事情に鑑みてなされたもので、可動刃を制御することなく機械的構造によってパーシャルカットとフルカットを可能とする切断装置を提供することを課題とする。
【課題を解決するための手段】
【０００５】
本発明に係る切断装置は、用紙を切断する切断装置であって、固定刃と、固定刃に対して接離方向に移動可能なＶ形状の可動刃と、前記可動刃の中央部分が固定刃に当接しないパーシャルカット位置と可動刃の中央部分を含む全体が固定刃に当接するフルカット位置に固定刃を移動可能とする固定刃ホルダを有することを特徴とする。
また、固定刃ホルダは、固定刃を保持し、突起が設けられた摺動部材と、前記突起を挿入する傾斜孔が設けられたスライド片と、摺動部材を可動刃に対して接離方向に摺動可能に保持し、かつ前記スライド片を保持するホルダ本体を有することを特徴とする。
【発明の効果】
【０００６】
可動刃を制御することなく機械的構造によって固定刃の位置を変更する事で用紙に対してパーシャルカットとフルカットを行うことができる。
【発明を実施するための最良の形態】
【０００７】
以下、図面を参照しながら発明を実施するための最良の形態について説明する。
【０００８】
図１は、本発明の実施の形態に係る切断装置を取り付けたプリンタの概略側断面図で、図２はカバーを開けた状態のプリンタの概略側断面図で、図３はインクリボンユニットを開けた状態のプリンタの概略側断面図である。
図１ないし図３に示すようにプリンタ１は、プリンタ筐体２の回動軸９に支持され、回動（開閉）可能なカバー３を有する。また、プリンタ１は、主として供給部４と、センサ５と、印字部６と、インクリボンユニット７と、切断部８とを有している。図２に示すようにプリンタ筐体２側に供給部４と、センサ５と、印字部６を構成するプラテンローラ１４と、切断部８を構成する可動刃１７が設けられ、カバー３側には切断部８を構成する固定刃１６が設けられ、カバー３に係合したインクリボンユニット７に印字部６を構成するサーマルヘッド１３が設けられている。プリンタ筐体２に対してカバー３を閉めるとサーマルヘッド１３がプラテンローラ１４に当接し、固定刃１６が可動刃１７に対向する位置に位置決めされる。尚、説明上供給部４側を上流側、切断部８側を下流側とする。
【０００９】
供給部４は、プリンタ筐体２に設けられ、ロール紙６０を収容する収容空間１１と、収容空間１１に設けた図示しないロール紙幅ガイドから構成されている。ロール紙幅ガイドは、収容空間１１に収容されたロール紙６０を回転可能に支持すると共に、公知のラックアンドピニオン構造等により接離自在に構成される一対のガイド板により構成され、様々な幅のロール紙の両側面を規制可能としている。
【００１０】
センサ５は、印字部６の上流側近傍に位置し、発光部と受光部を有する光反射型のセンサであり、供給部４のロール紙６０から引き出された用紙６１に印刷された図示しない検出マークを検出することにより用紙６１の位置を検出する。また、用紙を長尺状の台紙に複数のラベルが仮着されたラベル連続体とし、このラベル連続体を挟んで対向位置に発光部と受光部を設け、台紙とラベルの透過率の違いによってラベルの位置を検出する光透過型のセンサであっても良い。
【００１１】
印字部６は、発熱抵抗体を発熱させ、後述するインクリボンのインクを転写させる事で用紙６１へ印字を施すサーマルヘッド１３と、サーマルヘッド１３の対向位置に配置され、供給部４から切断部８に向かう下流側および上流側に向かって用紙６１を搬送可能なプラテンローラ１４を有している。プラテンローラ１４は、プリンタ筐体２側に設けられ、図示しないステッピングモータに接続して回転駆動することによって用紙６１を搬送する。また、サーマルヘッド１３は、後述するインクリボンユニット７に支持され、サーマルヘッド１３をプラテンローラ１４側に所定の圧力をかける図示しない圧接ばねを有している。
【００１２】
インクリボンユニット７は、プリンタ筐体２の回動軸９によって回動自在に支持され、図２に示すようにカバー３の内部に収容され、カバー３内部の図示しない係合片を外すことで図３に示すようにカバー３から外れるプリンタ筐体２側へと回動可能に構成されている。また、ロール状のインクリボンを回転可能に支持するリボン供給軸１８と、リボン供給軸１８から繰り出されたインクリボンをプラテンローラ１４とサーマルヘッド１３との間に案内する案内ローラ２０と、インク転写後の使用済みのインクリボンが巻き取られるリボン巻取軸１９と、転写後のインクリボンをリボン巻取軸１９に案内する案内ローラ２１とからなる。また、インクリボンユニット７には、プラテンローラ１４の軸受１５と係合する係合部２２が設けられており、図１に示すようにカバー３を閉めた状態でプラテンローラ１４の軸受１５に係合部２２が係合し、プラテンローラ１４に対してサーマルヘッド１３を、可動刃１７に対して固定刃１６を適正な位置に位置決めすることを可能としている。
【００１３】
切断部（切断装置）８は、固定刃１６と、固定刃１６を支持する固定刃ホルダ２３と、固定刃１６に対して接離方向に移動可能なＶ形状の可動刃１７を有している。固定刃ホルダ２３はカバー３に取り付けられており、カバー３と共に回動軸９を支点として回動可能に設けられ、カバー３内に支持されるホルダ軸２７を介してカバー３内で回動可能に構成され、カバー３に一端を支持された引張りばね２６に接続され、引張りばね２６によって常時インクリボンユニット７側に付勢されている。また、固定刃ホルダ２３は、インクリボンユニット７のインクリボンの交換を容易とするために図３に示すようにインクリボンユニット７をカバー３に対して離反方向に回動したときに固定刃１６がインクリボンユニット７に接触しないようにインクリボンユニット７に沿って退避させる摺接片２９を備えている。
【００１４】
図４は、固定刃ホルダをインクリボンユニット側である上流側から見た概略斜視図で、図５は固定刃ホルダを下流側から見た概略斜視図であり、図６は図５のＡ−Ａ断面図であり、図７は固定刃ホルダの一方面からみた分解図で、図８は固定刃ホルダの他方面からみた分解図である。
図４ないし図８に示すように固定刃ホルダ２３は、ホルダ本体２４と、固定刃１６を保持する摺動部材２５と、スライド片３３を有している。ホルダ本体２４は、図４および図８に示すようにカバーの内側に回動可能に支持するホルダ軸２７と、一対の引張りばね２６を引っ掛ける突出部２８と、一対の摺接片２９と、摺動部材２５をホルダ本体２４に配置する配置スペース３０と、配置スペース３０内に設けられ摺動部材２５の後述する凸部３７（図７参照）を移動可能に支持する一対の長孔３１と、配置スペース３０内に設けられ摺動部材２５の後述する係止片３８（図７参照）を摺接片２９とは反対の方向に挿通させる孔３２を有している。また、ホルダ本体２４には、摺接片２９とは反対の方向に突出させた板状の載置板３４（図７参照）を有し、図５および図６に示すように載置板３４上にスライド片３３が載置される。また、ホルダ本体２４の配置スペース３０内に配置される摺動部材２５を保持する４つの保持片３５が設けられている。
【００１５】
ホルダ軸２７は、カバー３の内側に形成された図示しない軸孔に係合されることにより固定刃ホルダ２３をインクリボンユニット７に対して接離方向に回動可能としている。突出部２８は、一対の引張りばね２６のそれぞれの一端を引っ掛けるもので、一対の引張りばね２６の他端が引っ掛けられたカバー３側に固定刃ホルダ２３が引き寄せられるよう構成されている。
【００１６】
摺動部材２５は、ねじにより固定刃１６を着脱可能に保持するためのねじ孔３６と、摺動部材２５に形成されたねじ孔３６と反対側の面に形成された一対の凸部３７と、一対の凸部３７の間に設けられた係止片３８を有する。
【００１７】
凸部３７は、ホルダ本体２４の長孔３１内に挿通され、ホルダ本体２４が長孔３１に沿って移動可能に構成されている。係止片３８は、ホルダ本体２４から離れる方向に延出し、延出した端部を直角に折り曲げた形状をしており、係止片３８の内側から摺動部材２５側に向かって垂直に植立された一対の突起部３９（図６参照）と、切欠部４０を備えている。突起部３９は、後述するスライド片３３の傾斜孔４２に挿通される。
【００１８】
スライド片３３は、係止片３８の突起部３９が挿入される一対の傾斜孔４２と、係止片３８の切欠部４０内に配置されるストッパー４１を有している。傾斜孔４２は、斜めに形成されており、この傾斜孔４２内に突起部３９が挿入される。ストッパー４１は、図７において左側にスライド片３３をスライドさせたときに左側のストッパー４１ａが切欠部４０に当接して、スライド片３３の左方向の移動を規制し、スライド片３３を右側にスライドさせたときに右側のストッパー４１ｂが切欠部４０に当接してスライド片３３の左方向の移動を規制するよう構成されている。
【００１９】
図９は、フルカットまたはパーシャルカットを行う際の固定刃とススライド片の位置関係を説明する説明図であり、同図に基づきフルカットとパーシャルカットにおける固定刃の位置調整について説明する。
図９（ａ）は、パーシャルカット時における固定刃とスライド片の位置を示し、同図に示すようにスライド片３３をストッパー４１ａが当接する位置まで移動させると、傾斜孔４２に沿って上方側に向かって係止片３８の突起部３９を押し上げると係止片３８に一体となっている摺動部材２５が上方に移動する。摺動部材２５には固定刃１６が固定されているので、固定刃１６と共に摺動部材２５が可動刃１７から離れる方向に移動することで図示のように可動刃１７の中央部分が固定刃１６に当接しないようになり、用紙６１の一部を切残すパーシャルカットを可能とする。
【００２０】
図９（ｂ）は、フルカット時における固定刃とスライド片の位置を示し、同図に示すようにスライド片３３をストッパー４１ｂが当接する位置まで移動させると、傾斜孔４２に沿って下方側に向かって係止片３８の突起部３９を押し下げると係止片３８に一体となっている摺動部材２５が下方に距離Ａだけ移動する。摺動部材２５には固定刃１６が固定されているので、固定刃１６と共に摺動部材２５が可動刃１７に近づく方向に移動することで図示のように可動刃１７の中央部分を含む全体が固定刃１６に当接するようになり、用紙６１を完全に切り離すフルカットを可能とする。
【００２１】
また、図１０はプリンタの制御部ブロック図であり、制御部の構成について同図に基づき説明する。
制御部７０は、所定の制御プログラムを記憶するＲＯＭ７１と、ＲＯＭ７１に記憶されている制御プログラムに従って動作し、各部を制御するＣＰＵ７２と、ＣＰＵ７２が動作する上で必要となる各種データを記憶するＲＡＭ７３と、駆動モータにパルス信号を供給し、プラテンローラ１４による用紙６１の搬送を制御する搬送制御部７４と、ＣＰＵ７２から供給される印字すべき文字、図形などの印字データに対応する制御信号を生成してサーマルヘッド１３に供給し、印字動作を行わせる印字制御部７５と、ＣＰＵ７２の制御下、センサ５の発光部を制御し、印字媒体向かってに光を出射させるとともに、受光部から出力される電気信号を受け取り、デジタルのデータに変換してＣＰＵ７２に供給する用紙検出部７６と、可動刃１７を固定刃１６に向かって動作させ、用紙６１に対してフルカットあるいはパーシャルカットを行う切断制御部７７と、現在の日時を計時するカレンダＩＣ７８と、プリンタ１の各種設定情報などを記憶するフラッシュＲＯＭ７９と、ハンディスキャナやホストコンピュータ等と接続し、印字データを受信する外部インタフェース８０と、を有している。
これら各部は、データバス８１を介してＣＰＵ７２に接続され、ＣＰＵ７２の管理下、外部インタフェース８０から受信した印字データに従ってサーマルヘッド１３によりラベル６２に印字を行い、パーシャルカットまたはフルカット動作を行う。
【００２２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００２３】
【図１】本発明の実施の形態に係る切断装置を備えたプリンタの側断面図。
【図２】カバーを開けた状態のプリンタの概略側断面図。
【図３】インクリボンユニットを開けた状態のプリンタの概略側断面図。
【図４】固定刃ホルダをインクリボンユニット側である上流側から見た概略斜視図。
【図５】固定刃ホルダを下流側から見た概略斜視図。
【図６】図５のＡ−Ａ断面図。
【図７】固定刃ホルダの一方面からみた分解図。
【図８】固定刃ホルダの他方面からみた分解図。
【図９】フルカットまたはパーシャルカットを行う際の固定刃とススライド片の位置関係を説明する説明図。
【図１０】プリンタの制御部ブロック図。
【符号の説明】
【００２４】
１    プリンタ
２    プリンタ筐体
３    カバー
４    供給部
５    センサ
６    印字部
７    インクリボンユニット
８    切断部
９    回動軸
１１  収容空間
１３  サーマルヘッド
１４  プラテンローラ
１５  軸受
１６  固定刃
１７  可動刃
１８  リボン供給軸
１９  リボン巻取軸
２０、２１  案内ローラ
２２  係合部
２３  固定刃ホルダ
２４  ホルダ本体
２５  摺動部材
２６  引張りばね  
２７  ホルダ軸
２８  突出部
２９  摺接片
３０  配置スペース
３１  長孔
３２  孔
３３  スライド片
３４  載置板
３５  保持片
３６  ねじ孔
３７  凸部
３８  係止片  
３９  突起部
４０  切欠部
４１  ストッパ
４２  傾斜孔
６０  ロール紙
６１  用紙
７０  制御部
７１  ＲＯＭ
７２  ＣＰＵ
７３  ＲＡＭ
７４  搬送制御部
７５  印字制御部
７６  用紙検出部
７７  切断制御部
７８  カレンダＩＣ
７９  フラッシュＲＯＭ
８０  外部インタフェース
８１  データバス８１
【図１】
2008207303.tif 000003
【図２】
2008207303.tif 000004
【図３】
2008207303.tif 000005
【図４】
2008207303.tif 000006
【図５】
2008207303.tif 000007
【図６】
2008207303.tif 000008
【図７】
2008207303.tif 000009
【図８】
2008207303.tif 000010
【図９】
2008207303.tif 000011
【図１０】
2008207303.tif 000012